(57)【特許請求の範囲】
【請求項１】
メッシュ状保持板と、このメッシュ状保持板に積層してある昇温降温防止用シートとからなり、
上記昇温降温防止用シートは合成樹脂の長繊維フィラメントが高密度に接合された不織布であって、光の反射率が９０％以上、光吸収率が１％以下であり、
上記昇温降温防止用シートには上記メッシュ状保持板の空隙部に対応し所定間隔をもって切込みが入れてある
ことを特徴とする養液栽培パネル。
【請求項２】
養液を収納してある容器と、この容器の開口端部を被覆してある養液栽培パネルと栽培ポットとからなり、
上記養液栽培パネルはメッシュ状保持板とこのメッシュ状保持板に積層してある昇温降温防止用シートとからなり、
上記昇温降温防止用シートは合成樹脂の長繊維フィラメントが高密度に接合された不織布であって、光の反射率が９０％以上、光吸収率が１％以下であり、
上記昇温降温防止用シートには上記メッシュ状保持板の空隙部に対応し所定間隔をもって切込みが入れてあり、
上記栽培ポットは上記昇温降温防止用シートの上記切込みを介して挿置され、上記メッシュ状保持板により保持されている
ことを特徴とする養液栽培装置。
【請求項３】
育苗栽培装置と定植栽培装置とからなり、
上記育苗栽培装置は、養液を収納してある育苗用容器と、この育苗用容器の開口端部に載置してあるメッシュ状育苗パネルと、上記メッシュ状育苗パネルの空隙部に挿置しこのパネルによって支持される栽培ポットとからなり、
上記定植栽培装置は、養液を収納してある定植用容器と、上記定植用容器の開口端部を被覆する定植パネルとからなり、
上記定植パネルはメッシュ状保持板とこのメッシュ状保持板に積層してある昇温降温防止用シートとからなり、
上記昇温降温防止用シートは、合成樹脂の長繊維フィラメントが高密度に接合された不織布であって、光の反射率が９０％以上、光吸収率が１％以下であり、
上記昇温降温防止用シートには上記メッシュ状保持板の空隙部に対応し所定間隔をもって切込みが入れてあり、
この栽培ポットは上記昇温降温防止用シートの切込みを介して挿置され、上記メッシュ状保持板により保持される
ことを特徴とする養液栽培装置。
【発明の詳細な説明】
【０００１】
【発明の属する技術分野】
本発明は、野菜、草花などの養液栽培パネル及びこの栽培パネルを使用した養液栽培装置に関する。
【０００２】
【従来の技術】
従来から養液栽培装置の構造は、例えば養液を収納してある発泡スチロール、ポリエチレン製の容器に養液を収納し、この容器の上端開口端部を発泡スチロール製の蓋体で被覆したもので、この蓋体は育苗播種パネルであり且つ定植パネルであった。そして、この蓋体の表面には多数の透孔を相互に近接した狭い間隔で開設してあり、この透孔の内部形状は育苗播種用パネルでは上方に向けて拡大している小さなテーパ状であり、このテーパ状の透孔内に吸水性の不織布（例えば「スイコウメイト」商品名  セキスイ化成製）を貼着し、この不織布内に軟弱野菜などの播種チップ２〜５個を投入してあるもので、養液がこの不織布に浸透することによりこの播種チップから発芽した苗は養液から養分を吸収しながら成育するものである。そして、所定の育苗期間の後、所定間隔で本圃にて定植し所定期間経過後に収穫物を収穫するものであった。
【０００３】
他の従来例としては吸水性の発泡ウレタン製の蓋体に小さな透孔を開け、この透孔内に播種して発芽させるものもある。
【０００４】
【発明が解決しようとする課題】
ところが、従来の栽培方法では、いずれも蓋体に所定の間隔で透孔が穿設してあるため、この透孔により一度定植の間隔が決まると、後でこの間隔を変更することは不可能である。また、従来例では蓋体に小さな透孔を相互に近接した狭い間隔で多数穿設し、このそれぞれの透孔内に播種するため、苗は密植状態になって成長している。そのため、この苗が所定の大きさになるまでそのままの状態で育苗栽培することはできず、育苗期間は最大でも１週間まで伸ばすことが限界であった。このように短い育苗期間が経過した後、定植するため本圃での定植から収穫までの期間は長くなり、栽培回転率を上げることができない。
【０００５】
また、容器、蓋体共に発泡スチロールやポリエチレン、発泡ウレタンを素材としているため、大体４，５年で使用できなくなり、この使用済みの容器、蓋体を廃棄処分するのに公害問題との関係で多くの経費がかかる。さらに、蓋体は数年の使用により表面が疵つき、この疵は病原菌の繁殖する温床になり易く、これを消毒するにはジ塩素酸系の消毒剤が必要であり、消毒作業の作業環境は悪い。
【０００６】
そこで、本発明の目的は廃棄処分が簡単で、病原菌の発生が防止でき、養液の温度の上昇を抑制し、本圃での定植期間を短くして栽培回転率を上げることのできる養液栽培パネル及びこの栽培パネルを使用した養液栽培装置を提供することにある。
【０００７】
【課題を解決するための手段】
この発明に係る養液栽培パネルの特徴は、メッシュ状保持板と、このメッシュ状保持板に積層してある昇温降温防止用シートとからなり、上記昇温降温防止用シートは合成樹脂の長繊維フィラメントが高密度に接合された不織布であって、光の反射率が９０％以上、光吸収率が１％以下であり、上記昇温降温防止用シートには上記メッシュ状保持板の空隙部に対応し所定間隔をもって切込みが入れてあるところにある。
【０００８】
この発明に係る養液栽培装置の第１の特徴は、養液を収納してある容器と、この容器の開口端部を被覆してある養液栽培パネルと栽培ポットとからなり、上記養液栽培パネルはメッシュ状保持板とこのメッシュ状保持板に積層してある昇温降温防止用シートとからなり、上記昇温降温防止用シートは合成樹脂の長繊維フィラメントが高密度に接合された不織布であって、光の反射率が９０％以上、光吸収率が１％以下であり、上記昇温降温防止用シートには上記メッシュ状保持板の空隙部に対応し所定間隔をもって切込みが入れてあり、上記栽培ポットは上記昇温降温防止用シートの上記切込みを介して挿置され、上記メッシュ状保持板により保持されているところにある。
【０００９】
この発明に係る養液栽培装置の第２の特徴は、育苗栽培装置と定植栽培装置とからなり、上記育苗栽培装置は、養液を収納してある育苗用容器と、この育苗用容器の開口端部に載置してあるメッシュ状育苗パネルと、上記メッシュ状育苗パネルの空隙部に挿置しこのパネルによって支持される栽培ポットとからなり、上記定植栽培装置は、養液を収納してある定植用容器と、上記定植用容器の開口端部を被覆する定植パネルとからなり、上記定植パネルはメッシュ状保持板とこのメッシュ状保持板に積層してある昇温降温防止用シートとからなり、上記昇温降温防止用シートは、合成樹脂の長繊維フィラメントが高密度に接合された不織布であって、光の反射率が９０％以上、光吸収率が１％以下であり、上記昇温降温防止用シートには上記メッシュ状保持板の空隙部に対応し所定間隔をもって切込みが入れてあり、この栽培ポットは上記昇温降温防止用シートの切込みを介して挿置され、上記メッシュ状保持板により保持されているところにある。
【００１０】
【発明の実施の形態】
図面を参照して本願発明の実施の態様における養液栽培装置の構造を説明すると、この栽培装置は育苗栽培装置と定植栽培装置とからなる。
【００１１】
そこで、先ず育苗栽培装置の構成から説明すると、図１に示すように、育苗用容器４には養液Ｗが所定量収納してあり、この育苗用容器は支持台５上に設置してあり、この支持台は地面Ｇに植設してある複数本の支持脚６…により水平状態に支持されている。育苗用容器４の上端開口部には、図２に示すワイヤーメッシュからなる育苗パネル７が載置して被覆状態にある。育苗パネル７の平面形状は図２に示すように、格子状のもので、後で説明する栽培ポット８を挿入しこれを保持するための長方形の空隙部７１が形成してある。そして、育苗パネル７の全ての空隙部７１には、図３、図４に示す栽培ポット８が挿置され、この育苗パネルによって支持されるようになっている。
【００１２】
次に、図３、図４を参照して栽培ポット８の構造を説明すると、白色ポリエチレンによりポット本体を成形し、このポット本体内には培地が充填してあるもので、この培地としては粉砕した樹皮（バーク）が使用されている。他の培地としては、鉄鉱スラグ、玄武岩、輝緑岩を高温で溶かして繊維化し、これをマット状、ポット状、チップ状に成形加工したものや、ポリエステル繊維を素材としてマット状、ポット状に成形加工したものも使用できる。
【００１３】
栽培ポット８の正面形状は、図３に示すように上部に拡張した所定幅の縁部８１が形成してあり、この縁部の下方は全体的に下方に向けて縮小しているテーパ状の胴体部８２になっており、この縁部と胴体部との境界部の長手方向の両側外側には段部８３が形成してある。栽培ポット８はなるべく大型のものを用意することが望ましく、具体的な形状寸法の実例を示すと、図３に示す正面形状において縁部８１の上面の直径が１０．５ｃｍ、胴体部８２の下面の直径が８．５ｃｍであり、高さは５ｃｍである。また、図４に示す側面形状では、上面の直径が２．５ｃｍ、下面の長さは１．０ｃｍである。そして段部８３と胴体部８２との境界部の外周形状は、図２に示す育苗パネル７の空隙部７１と同一形状で、そのため、この空隙部に挿入可能であり、挿入されると段部８３は育苗パネル７の各空隙部７１に掛止され、栽培ポット８は水平状態で支持されることになる。
【００１４】
次に、定植栽培装置の構造について図５を参照して説明すると、この構造は定植パネル１の構造を除いて他の構成は、図１に示した育苗栽培装置と実質的に同一であり、定植用容器４１には養液Ｗが収納してあり、この養液の水面レベルは育苗用容器４に注入した養液Ｗのレベルより低い。
【００１５】
そこで、養殖栽培パネルの１形態としての定植パネル１の構成について説明すると、図６に示すように、この定植パネルはメッシュ状保持板２と、このメッシュ状保持板に積層してある昇温降温防止用シート３とからなる。
【００１６】
メッシュ状保持板であるメッシュ状の保持板２の平面形状は、図２に示す育苗パネル７の構成と実質的に同一で、図７に示すように、格子状のもので、栽培ポツト８を挿入しこれを保持するための長方形の空隙部２１が形成してある。
【００１７】
昇温降温防止用シート３には、図８に示すようにメッシュ状保持板２の空隙部２１に対応し所定間隔、図面では空隙部の左右上下方向に１個おきの間隔をもって切込み３１が切込まれている。なお、この切込み３１の外周の鎖線２１は、下面に位置する保持板２における対応する空隙部２１の位置を示している。
【００１８】
昇温降温防止用シート３は合成樹脂の長繊維フィラメントが高密度に接合された不織布であって、光の反射率が９０％以上、光吸収率が１％以下である。昇温降温防止用シート３は、フラッシュ紡糸法などにより合成樹脂の長繊維フィラメントが高密度に接合された不織布（例えば、デュポン社製の「タイベック」商品名）である。
【００１９】
昇温降温防止用シート３は、光の反射率は９０％以上、光エネルギーの吸収率は１％以下等、その特性において優れた特性値を示している。これは従来の断熱性に優れた遮光フィルム、例えば、アルミ蒸着フィルムのネオポリシャインや太陽シートと比較すると、光の分光特性は光の反射率は高く、光の吸収率は少ないという特性において優れたものである。
【００２０】
さらに、昇温降温防止用シート３は、例えばメルトブロー法やスパンボンド法等によって形成される他の不織布と比較して高密度であり、そのため、本発明に使用するシートは耐水圧性、透湿性等にも優れている。また、昇温降温防止用シート３は、１平方メートルあたり４０ないし１５０ｇの範囲の重量を有するもので、耐水圧性を示す耐水圧が５００〜３０００ｍｍの範囲（ＪＩＳ−Ｌ１０９２Ａ法−低水圧法による）、透湿性を示す透湿度が３０００〜７０００ｇ／ｍ2 ／２４時間（ＪＩＳ−Ｚ−０２８０修正法による）である。さらに、昇温降温防止用シート３は、その透気性（通気性）を示す透気度が２０〜８０Ｓ／１００ＣＣ（ＪＩＳ−Ｐ８１１７Ｂ型による）である。昇温降温防止用シート３の素材の不織布を構成する合成樹脂としては、ポリオレフィン特に高密度ポリオレフィンが好ましいが、ポリプロピレンもしくはポリオレフィンとの共重合体を使用することもできる。必要により、紫外線吸収材等の転化剤を添加して、耐久性を向上させることは好ましいことである。
【００２１】
昇温降温防止用シート３の素材の不織布は、紡糸、延伸、開繊、接着の工程を連続的に行う直接紡糸法により長繊維をランダムに堆積してボンディングして得られるもので、具体的に説明すると、紡糸可能な熱可塑性樹脂を押出し機に投入して溶融状態にし、紡糸ノズルから押出された繊維をローラ法またはエアジェット法で延伸繊維化するスパンボンド法による不織布や、溶融状態の樹脂を高圧ガス流と共に紡糸ノズルから噴射して延伸繊維化するメルトブロー法による不織布や、紡糸可能な熱可塑性合成樹脂を溶媒に高温押圧下で溶解した溶液を紡糸ノズルを通して大気中に放出し、溶媒を気化させて繊維化するフラッシュ紡糸法による不織布がある。このフラッシュ法は、高密度ポリエチレンやポリプロピレンなどの合成樹脂をハロゲン化炭化水素、芳香族炭化水素、脂肪族炭化水素などの低沸点の溶媒に高温高圧下に溶解して得た溶液を用い、より加圧した状態で圧力降下室を設けた紡糸ノズルを通して低温低圧域の大気中に放出し、溶媒が瞬間的に気化することでその膨脹力によって繊維に配向を与えるもので、この紡糸法で得られる不織布は、特に耐水性と透湿性に優れている。
【００２２】
次に、養液栽培装置の使用法について説明する。
【００２３】
先ず、育苗用容器４内には養液Ｗを所定のレベルまで注入し、また、栽培ポット８には播種する。栽培ポット８に充填してある培地はストレスの無いように一定の深さにすることが必要であり、さらに、ＰＨ、ＥＣの一定な養液管理が必要である。その後で、図１に示すように育苗用容器４の開口端部を完全に被覆するように、メッシュ状の育苗パネル７の全ての空隙部７１に、この栽培ポットを挿置する。このように、全ての空隙部７１に栽培ポット８を挿置するので、栽培密度は高まり、光は養液Ｗに入ることはない。栽培ポット８は前記した形状寸法のような大型のものを使用すると、育苗期間は本葉がでてきても長く、実験例では２０〜２５日程度の長期間の育苗ができた。
【００２４】
その後、育苗期間が過ぎると本圃にて定植することが必要になる。そこで、図１の状態において栽培ポット８を育苗パネル７から引上げ、図５に示すように定植栽培装置の定植パネル１の昇温降温防止用シート３の切込み３１に栽培ポット８をこの切込みを開きながら挿入すると、この栽培ポットはメッシュ状保持板２の空隙部２１により保持される。この状態における栽培ポット８の挿置間隔は、空隙部２１の１個毎に空けるので育苗栽培の場合の２倍の広さになり、この栽培ポットの挿置個数も当然半分になる。また、定植用容器４１内の養液Ｗの水深は収穫時にはなくなるようになるべく浅くする。
【００２５】
この定植栽培装置によると、定植パネル１の昇温降温防止用シート３が容器部４１に収納の養液Ｗを直接覆うことによって、この養液の温度の上昇を抑制し、特に夏期の昇温防止に有効である。
【００２６】
このように、本発明にかかる養液栽培装置は、この養液の温度の上昇を抑制し、特に夏期高温期の作物の育成を助け、さらに、この定植パネル１に照射した光は昇温降温防止用シート３がほとんど反射し、吸収した光による蓄熱もほとんどないので、この容器４内の養液Ｗの水温の上昇は抑制され、このため、栽培ポット８内の根圏温度及び養液８の水温を根の成長に適した３０℃以下の温度に押さえることができる。
【００２７】
また、本発明によると育苗期間が長くなり、その分、苗は大型化し本圃での栽培期間は短くすることができるため、図５に示すように、本圃での養液の水深、水量を少なくすることができ、収穫後の残液を減らすことができる。養液Ｗの管理を確実に行えば、この養液は収穫時には殆どなくなるので、培地のバークは乾燥状態になる。そのため、収穫物の収穫労力が軽減でき、水分を切ることができるので収穫物は品質が向上して日持ちが良くなり、バークが乾燥しているので再利用し易くなり、病原菌の発生の抑制にも有効である。バーク使用時にバークの中にヒノキチオールを含んだ成分を入れることによって藻の発生を抑制できる。また、実験例によると、育苗期間は培地としてバークを使用することにより３週間まで伸ばすことができる。
【００２８】
また、定植パネル１、育苗パネル７は養液から離れているので病害発生を押えることができる。
【００２９】
【発明の効果】
本発明に係る養液栽培パネルはメッシュ状保持板と、このメッシュ状保持板に積層してある昇温降温防止用シートとからなり、上記昇温降温防止用シートは合成樹脂の長繊維フィラメントが高密度に接合された不織布であって、光の反射率が９０％以上、光吸収率が１％以下であり、養液栽培装置はこの構成の養液栽培パネルを使用しているので、養液栽培用容器内の養液の温度の上昇を防止し、特に夏期高温期の作物の育成を助け、さらに、光の反射率が９０％以上でありかつ光吸収率が１％以下であるので、養液栽培用容器に照射した光はほとんど反射し、吸収した光による蓄熱もほとんどないので、養液栽培用容器内の水温の上昇は抑制される。このため、栽培ポット内の根圏温度及び養液の水温を根の成長に適した温度、例えば３０℃以下に押さえることができる。
【００３０】
また、養液栽培装置は育苗栽培装置と定植栽培装置とからなり、上記育苗栽培装置は養液を収納してある育苗用容器と、この育苗用容器の開口端部に載置してあるメッシュ状育苗パネルと、上記メッシュ状育苗パネルの空隙部に挿置しこのパネルによって支持される栽培ポットとからなり、上記定植栽培装置は、養液を収納してある定植用容器と、上記定植用容器の開口端部を被覆する定植パネルとからなるので、定植の間隔は自由に変更することができ、病気の発生を極力防止することができ、廃棄処分も簡単である。また、大型の栽培ポットを使用することが可能かつ長期の育苗が可能となり、そのため長い育苗期間経過して育苗した大型の苗を本圃で定植するので、この定植から収穫までの期間が短くなり、栽培回転率を上げることができる。このように、本圃での栽培期間が短くなることによって本圃の養液の水深、水量を少なくすることができ、このことは、収穫後の養液、つまり培養液の残量を減らすことができ、本圃の養液は暫時ストレスのないようにＰＨ、ＥＣを一定にした養液を加えることによって、長期育苗ができる。このことによって、肥料、水量が少なくなり養液管理にかかる経費の節減にも有効である。
【図面の簡単な説明】
【図１】育苗栽培装置の垂直断面図である。
【図２】メッシュ状育苗パネルの平面図である。
【図３】栽培ポットの正面図である。
【図４】栽培ポットの側面図である。
【図５】定植栽培装置の垂直断面図である。
【図６】定植パネルの正面図である。
【図７】メッシュ状定植パネルの平面図である。
【図８】昇温降温防止用シートの平面図である。
【符号の説明】
１            養液栽培パネル（定植パネル）
２            メッシュ状保持板
２１          メッシュ状保持板の空隙部
３            昇温降温防止用シート
３１          切込み
４            育苗用容器
４１          定植用容器
７            メッシュ状育苗パネル
７１          育苗パネルの空隙部
８            栽培ポット
８１          縁部
８２          胴体部
８３          段部
Ｗ            養液
【図１】
0004044695.tif 000002
【図２】
0004044695.tif 000003
【図３】
0004044695.tif 000004
【図４】
0004044695.tif 000005
【図５】
0004044695.tif 000006
【図６】
0004044695.tif 000007
【図７】
0004044695.tif 000008
【図８】
0004044695.tif 000009